(57)【要約】【課題】発泡スチロール製の緩衝材を使用せず、包装に使用する材料を全て紙製とし、焼却の際に焼却炉が早期に損傷するという問題を解消した包装構造を提供する。【解決手段】段ボール板製の底箱２と、この底箱２の中央に収納され被梱包物１の脚体１ａを受ける段ボール板製の脚載せパッド３と、前記底箱２の両側に収納され被梱包物１の本体部下端両側を受けるパルプモールド製の下側緩衝体４，４と、前記底箱２の後端部に起立状態で収納される段ボール板製の付属品ケース５と、前記下側緩衝体４，４で受けられた被梱包物１の本体部の上端両側に当てられるパルプモールド製の上側緩衝体６，６と、この上側緩衝体６，６の上から被梱包物１を覆う段ボール板製の天面パッド７と、これら全てを覆うための下端が開口する段ボール板製の本体箱８とから構成する。【選択図】    図１
2005313942.tif 000002
【特許請求の範囲】
【請求項１】
段ボール板製の底箱と、この底箱の中央に収納され被梱包物の脚体を受ける段ボール板製の脚載せパッドと、前記底箱の両側に収納され被梱包物の本体部下端両側を受けるパルプモールド製の下側緩衝体と、前記底箱の後端部に起立状態で収納される段ボール板製の付属品ケースと、前記下側緩衝体で受けられた被梱包物の本体部の上端両側に当てられるパルプモールド製の上側緩衝体と、この上側緩衝体の上から被梱包物を覆う段ボール板製の天面パッドと、これら全てを覆うための下端が開口する段ボール板製の本体箱とからなることを特徴とする包装構造。
【発明の詳細な説明】
【技術分野】
【０００１】
本発明は、例えば液晶テレビジョン受像機などの大型の被梱包物を効率良く包装するための包装構造に関するものである。
【背景技術】
【０００２】
従来のテレビジョン受像機の包装構造としては例えば特許文献１に開示されているように、平面形状が後端部中央が後方に突出する形状を呈するように段ボール板により作られた底箱と、この底箱の底板部の各辺に沿う前板部、前側の側板部、前側の後板部、後側の側板部、後側の後板部と、これら各板部の上端に上蓋形成用フラップを備えて段ボール板により作られ前記底箱と複数箇所で結合部材により結合される本体箱と、この底箱および本体箱の内部に収納されるテレビジョン受像機の下端部における左右両側と後端および上端部における左右両側と後端に当てられる発泡スチロール製の緩衝材とを備えてなるものが知られている。
【特許文献１】特開２００２−２１１６４６号公報
【発明の開示】
【発明が解決しようとする課題】
【０００３】
上記従来の特許文献１に開示されているテレビジョン受像機の包装構造では、段ボール板により作られた底箱と、同じく段ボール板により作られた本体箱と、発泡スチロール製の緩衝材とを用いてテレビジョン受像機の包装を行なうように構成されているのであるが、開梱して本体箱からテレビジョン受像機を取り出した後の底箱、本体箱、緩衝材の処分において、緩衝材は発泡スチロール製であるが故に焼却時に燃焼温度が高温になり、焼却炉を早期に傷めてしまうという問題や有害ガスを発生するという問題があった。
【０００４】
そこで、発泡スチロール製の緩衝材に代わって有害ガスを発生せず、焼却炉を早期に傷めることのない材料からなる緩衝材として種々検討がなされているが、液晶テレビジョン受像機などの大型の被梱包物に対応できる緩衝材としてはいまだに発泡スチロール製のものが使用されているのが現状である。
【０００５】
本発明の目的は、このような課題を解決するものであり、発泡スチロール製の緩衝材を使用せず、包装に使用する材料を全て紙製とし、焼却の際に焼却炉が早期に損傷するという問題を解消した包装構造を提供することにある。
【課題を解決するための手段】
【０００６】
本発明の請求項１に記載の包装構造は、段ボール板製の底箱と、この底箱の中央に収納され被梱包物の脚体を受ける段ボール板製の脚載せパッドと、前記底箱の両側に収納され被梱包物の本体部下端両側を受けるパルプモールド製の下側緩衝体と、前記底箱の後端部に起立状態で収納される段ボール板製の付属品ケースと、前記下側緩衝体で受けられた被梱包物の本体部の上端両側に当てられるパルプモールド製の上側緩衝体と、この上側緩衝体の上から被梱包物を覆う段ボール板製の天面パッドと、これら全てを覆うための下端が開口する段ボール板製の本体箱とからなることを特徴とする。
【発明の効果】
【０００７】
以上のように、本発明の包装構造は、包装に使用する材料は全て紙製であるので、使用後の焼却処理時に焼却炉が早期に損傷するという問題を解消できる。
【発明を実施するための最良の形態】
【０００８】
以下、本発明の一実施の形態を、図１〜図２７に基づいて説明する。
図において、本実施の形態の包装構造は、液晶テレビジョン受像機などの大型の被梱包物１を梱包するために、段ボール板製の底箱２と、この底箱２の中央に収納され被梱包物１の脚体１ａを受ける段ボール板製の脚載せパッド３と、前記底箱２の両側に収納され被梱包物１の本体部下端両側を受けるパルプモールド製の下側緩衝体４，４と、前記底箱２の後端部に起立状態で収納される段ボール板製の付属品ケース５と、前記下側緩衝体４，４で受けられた被梱包物１の本体部の上端両側に当てられるパルプモールド製の上側緩衝体６，６と、この上側緩衝体６，６の上から被梱包物１を覆う段ボール板製の天面パッド７と、これら全てを覆うための下端が開口する段ボール板製の本体箱８とから構成されている。
【０００９】
さらに詳細に述べると、前記底箱２は、平面形状が長方形の底板部９と、この底板部９の長辺側の対向側辺に連設された前板部１０および後板部１１と、同じく底板部９の短辺側の対向側辺に連設された左右の側板部１２、１３とを備え、前記左右の側板部１２、１３は夫々底板部９に連設される外側板部１２ａ、１３ａと、この外側板部１２ａ、１３ａの上端に連設される内側板部１２ｂ、１３ｂとからなる二重壁構造で、外側板部１２ａ、１３ａと内側板部１２ｂ、１３ｂとの間に前記前板部１０および後板部１１の左右両側端に連設されたフラップ１０ａ，１０ｂおよび１１ａ，１１ｂを挟み内側板部１２ｂ、１３ｂの下端に形成した爪片１２ｂ’、１３ｂ’を底板部９の短辺側の対向側辺に近い端部に形成された孔部９ａ、９ｂに係止させることにより底箱２が組み立てられるようになっている。なお、この底箱２の前板部１０および後板部１１には前記本体箱８の下端との結合用の孔部１０ｃおよび１１ｃが上下方向中間部に形成されている。また、前板部１０の上端および後板部１１の上端には底箱２の両側に収納される下側緩衝体４，４が底箱２の中心側へ傾くのを防止するために下側緩衝体４，４の内側端面に当接する折り曲げ片１０ｄおよび１１ｄが連設されている。また、前記左右の側板部１２、１３の内側板部１２ｂ、１３ｂには下側緩衝体４，４の外側膨らみ部を嵌入させる開口部１２ｂ”、１３ｂ”が形成されている。さらに、前板部１０の下端および後板部１１の下端には前記脚載せパッド３の位置決め用の孔部１０ｅおよび１１ｅが形成されている。
【００１０】
次に、前記脚載せパッド３は、本体部１４と、この本体部１４の後側の半分の上に載せられる中間パッド部１５と、この中間パッド部１５の上から本体部１４上にほぼ全面に亘る範囲で載せられる上部パッド部１６とから構成されている。具体的には、前記本体部１４は平面形状が長方形の底板部１７と、この底板部１７の長辺側の対向側辺に連設された前板部１８および後板部１９と、同じく底板部１７の短辺側の対向側辺に連設された左右の側板部２０、２１とを備え、前記前板部１８および後板部１９は夫々底板部１７に連設される外側板部１８ａ、１９ａと、この外側板部１８ａ、１９ａの上端に連設される内側板部１８ｂ、１９ｂとからなる二重壁構造で、外側板部１８ａ、１９ａと内側板部１８ｂ、１９ｂとの間に前記側板部２０、２１の前後両端に連設されたフラップ２０ａ，２０ｂおよび２１ａ，２１ｂを挟み内側板部１８ｂ、１９ｂの下端に形成した爪片１８ｂ’、１９ｂ’を底板部１７の長辺側の対向側辺に近い端部に形成された孔部１７ａ、１７ｂに係止させることにより本体部１４が組み立てられるようになっている。なお、この本体部１４の前板部１８および後板部１９の外側板部１８ａ、１９ａの下端には小さな切り込みが形成されていて、この切り込みの部分に底板部１７から前後に突出する爪片１７ｃ、１７ｄが形成され、この爪片１７ｃ、１７ｄを前記底箱２の前板部１０の下端および後板部１１の下端の孔部１０ｅおよび１１ｅに係止させることにより脚載せパッド３の本体部１４の位置決めを行なうようになっている。また、本体部１４の側板部２０、２１の後端近傍部には前記中間パッド部１５の左右両側部を係止させる孔部２０ｃ、２１ｃが形成されている。さらに、本体部１４の後板部１９の内側板部１９ｂには前記上部パッド部１６の後端部を係止させる孔部１９ｂ”が形成されている。前記中間パッド部１５について詳細に説明すると、三重構造となるように３枚の板部２２，２３，３４が順番に繋がっており、３枚の板部２２，２３，２４には前記上部パッド部１６を係合させるために３枚重ねの状態で前後にそれぞれ２箇所づつで互いに繋がる孔部２２ａ，２２ｂ，２３ａ，２３ｂ，２４ａ，２４ｂが形成されている。また、この中間パッド部１５の３枚重ねの板部２２，２３，２４の左右両側部には前記本体部１４の側板部２０、２１の孔部２０ｃ、２１ｃに係止させる爪片２２ｃ，２２ｄ，２３ｃ，２３ｄ，２４ｃ，２４ｄが形成されている。前記上部パッド部１６について詳細に説明すると、上部パッド部１６は前記本体部１４の底板部１７上に前記中間パッド部１５の上から載る板部２５と、この板部２５の前端部に連設された板部２６と、この板部２６に連設されこの板部２６と前記板部２５との間に挟まれるように板部２６とともに折り畳まれる板部２７と、前記板部２５の後端部に連設された板部２８と、この板部２８に連設されこの板部２８と前記板部２５との間に挟まれるように板部２８とともに折り畳まれる板部２９と、前記板部２６と板部２７との繋がり部および板部２８と板部２９との繋がり部に形成され前記板部２５に形成された孔部３０および３１に貫通するように係止する爪片３２および３３とを備えている。なお、前記板部２６，２７および板部２８，２９の左右の幅は前記板部２５の左右の幅よりも小さく、板部２５の前端部における左右両側には板部２５の裏側への折り曲げ片３４，３４が形成されていて、前記中間パッド部１５が存在しない本体部１４の前側部での上部パッド部１６の沈みを止めるように構成されている。また、前記孔部３０および３１から下方に突出する爪片３２および３３は前記中間パッド部１５の孔部２２ａ，２３ａ，２４ａおよび２２ｂ，２３ｂ，２４ｂに差し込まれて上部パッド部１６の位置決めを行なうようになっている。
【００１１】
次に、前記パルプモールド製の下側緩衝体４，４は、前記脚載せパッド３に脚体１ａが載せられた被梱包物１の下端両側部を受けるために左右一対で構成されている。各下側緩衝体４は被梱包物１の下端側部を嵌入させる凹部４ａが形成され、この下側緩衝体４には前記凹部４ａの側部および下部などに多数の補強用のリブ４ｂが形成されている。
【００１２】
次に、前記付属品ケース５は、上下方向に起立する中央の付属品収納ボックス３５と、この付属品収納ボックス３５の左右両側に繋がる脚部３６とを備えるように２枚の段ボールシート３７，３８を組み合わせて作られるもので、一方の段ボールシート３７は付属品収納ボックス３５の背面を形成する板部３９と、この板部３９から左右両側に延設された脚部３６の背面を形成する板部４０と、前記板部３９の下端に連設された底板部４１と、この底板部４１から立ち上がるように連設された前面を形成する板部４２と、前記板部３９の上端に連設された内側上蓋４３ａと、前記板部４２の上端に連設された外側上蓋４３ｂと、前記板部４０に連設され脚部３６の両側面および前面を形成するように折り曲げ線で順番に繋がり角筒状に折り曲げられる板部４４ａ〜４４ｆとを備えている。さらに、詳しくは、板部４４ａ〜４４ｆを角筒状に折り曲げた状態において板部４４ｃと板部４４ｄとの繋がり部に形成された孔部４５に前記板部３９と板部４０との繋がり部に形成された爪片４６を差し込むとともに、板部４４ｅと板部４４ｆとの繋がり部に形成された孔部４７に板部４０の下端側部に形成された爪片４８を差し込むことにより上側部分では扁平な角筒状を呈し、下側部分では断面形状がほぼ正方形の細い角筒状を呈する脚部３６が形成される。また、前記底板部４１、内側上蓋４３ａ、外側上蓋４３ｂの各左右両側には他方の段ボールシート３８との結合用フラップ４９，５０，５１が連設されている。また、前記板部４２と外側上蓋４３ｂとの繋がり部には前記板部３９と内側上蓋４３ａとの繋がり部に形成された孔部５２に差し込まれる爪片５３が形成されている。さらに、前面を形成する板部４２の左右両側には付属品収納ボックス３５の後述する二重壁構造の側板の内側に差し込まれる差し込み片５４が連設されている。また、前記脚部３６の前面を形成する板部４４ｂには強度を保持するために先端が背面を形成する板部４０に当接する切り込み片５５が形成されている。前記他方の段ボールシート３８は前記付属品収納ボックス３５の背面を形成する板部３９とほぼ同じ大きさで板部３９に重なる板部５６と、この板部５６の左右両側に繋がり付属品収納ボックス３５の二重壁構造の側板を形成する内側板部５７ａおよび外側板部５７ｂとから構成される。そして、板部５６を板部３９に重ねて板部５６の上にリモコンや電源コード、アンテナケーブルなどの付属品を置いた状態で前記底板部４１および内側上蓋４３ａの結合用フラップ４９および５０を内側板部５７ａと外側板部５７ｂとの間で挟んだ状態で内側板部５７ａの係止片５７ｃを板部５６と外側板部５７ｂとの繋がり部に形成された孔部５７ｄに係止させ、その後板部４２を閉じ、差し込み片５４を付属品収納ボックス３５の側板の内側板部５７ａの内側に差し込み、続いて内側上蓋４３ａの上から外側上蓋４３ｂを重ねるとともに外側上蓋４３ｂの左右両側の結合用フラップ５１を前記他方の段ボールシート３８の外側板部５７ｂと結合用フラップ５０との間に差し込み、最後に前記爪片５３を孔部５２に差し込むことにより付属品ケース５の組み立てが完了する。この付属品ケース５は前記底箱２の後端部で前記下側緩衝体４，４の後端の外側凹部に脚部３６の下側部分の細い角筒状部分を当てがい、起立状態を保持させ、かかる状態でパルプモールド製の上側緩衝体６，６が被梱包物１の上端両側部に当てられる。
【００１３】
パルプモールド製の上側緩衝体６，６は、前記下側緩衝体４，４と同様に被梱包物１の上端両側部を保護するために左右一対で構成されている。各上側緩衝体６は被梱包物１の上端側部を嵌入させる凹部６ａが形成され、この上側緩衝体６には前記凹部６ａの側部および上部などに多数の補強用のリブ６ｂが形成されている。
【００１４】
次に、前記天面パッド７は、前記上側緩衝体６，６の上面に載る左右両側の板部５８と、この左右両側の板部５８を繋ぐ中央の板部５９に切り込みを入れることにより左右それぞれにＬ型の折り曲げ片６０を連設させ、前記中央の板部５９の前端辺側に連設し前記切り込み部に形成された開口部の下側に折り曲げられる板部６１に形成された係合孔部６１ａ，６１ａに折り曲げ片６０の先端を差し込んで係合させることにより天面パッド７の上面に取扱い説明書を収納する凹部６２が形成されている。なお、板部５９の後端側には凹部６２の後端に隣接して角筒部６３が形成される。この角筒部６３は板部５９に折り曲げ線で順番に繋がり角筒状に折り曲げられる板部６３ａ〜６３ｄを備えており、板部６３ａ〜６３ｄを角筒状に折り曲げた状態において板部６３ｃと板部６３ｄとの繋がり部に形成された孔部６４に凹部６２の後端辺において板部５９に形成された爪片６５を差し込むことにより角筒状を保持するようになっている。
【００１５】
さらに、前記本体箱８は、２組の対向側板６６，６６、６７，６７と、この対向側板６６，６６、６７，６７の上端に連設された上蓋形成用フラップ６８，６８、６９，６９を備え、先に閉じられる長辺側の上蓋形成用フラップ６８，６８形成された切り込み孔６８ａ，６８ａに後から閉じられる短辺側の上蓋形成用フラップ６９，６９の角部を差し込むことにより上蓋が形成される。この本体箱８は下端が開口し、包装完了状態において底箱２の外側に被さる長辺側の対向側板６６，６６の下端には底箱２の前板部１０および後板部１１に形成された孔部１０ｃおよび１１ｃと合致する孔部６６ａ，６６ａが形成されており、前側の孔部１０ｃと孔部６６ａおよび後側の孔部１１ｃと孔部６６ａが互いに合致したことを確認して孔部１０ｃと孔部６６ａおよび孔部１１ｃと孔部６６ａをジョイント部材７０により結合させるようになっている。
【００１６】
上記構成において、被梱包物１を梱包する場合は、前記底箱２の中央に脚載せパッド３をセットし、また底箱２の両側に下側緩衝体４，４をセットし、かかる状態で被梱包物１の脚体１ａを脚載せパッド３に載せるとともに、被梱包物１の本体部下端両側を下側緩衝体４，４で受ける。その後、被梱包物１の本体部の後側で下側緩衝体４，４の後端の外側凹部に付属品ケース５の脚部３６の下側部分の細い角筒状部分を当てがい、付属品ケース５の起立状態を保持させ、かかる状態で上側緩衝体６，６が被梱包物１の本体部の上端両側に当てる。その後、上側緩衝体６，６の上から天面パッド７を載せ、図２６に示すように上蓋形成用フラップ６８，６８、６９，６９が閉じられた本体箱８を天面パッド７から底箱２の範囲に亘って被せ、前記孔部１０ｃと孔部６６ａおよび孔部１１ｃと孔部６６ａをジョイント部材７０により結合させるのである。
【図面の簡単な説明】
【００１７】
【図１】本発明の一実施の形態における包装構造の概略分解斜視図である。
【図２】同底箱の展開図である。
【図３】同底箱の組み立て完成直前の状態を示す斜視図である。
【図４】同底箱の組み立て完成状態を示す斜視図である。
【図５】同脚載せパッドの本体部の展開図である。
【図６】同脚載せパッドの本体部の組み立て完成直前の状態を示す斜視図である。
【図７】同脚載せパッドの本体部の組み立て完成状態を示す斜視図である。
【図８】同脚載せパッドの中間パッド部の展開図である。
【図９】同脚載せパッドの中間パッド部の組み立て完成状態を示す斜視図である。
【図１０】同脚載せパッドの上部パッド部の展開図である。
【図１１】同脚載せパッドの上部パッド部の組み立て完成直前の状態を示す斜視図である。
【図１２】同脚載せパッドの上部パッド部の組み立て完成状態を示す斜視図である。
【図１３】同脚載せパッドの組み立て完成状態を示す斜視図である。
【図１４】同下側緩衝体の斜視図である。
【図１５】同付属品ケースの展開図である。
【図１６】同付属品ケースの組み立て途中の状態を示す斜視図である。
【図１７】同付属品ケースの組み立て完成直前の状態を示す斜視図である。
【図１８】同付属品ケースの組み立て完成状態を示す斜視図である。
【図１９】同上側緩衝体の斜視図である。
【図２０】同天面パッドの展開図である。
【図２１】同天面パッドの組み立て途中の状態を示す斜視図である。
【図２２】同天面パッドの組み立て完成直前の状態を示す斜視図である。
【図２３】同天面パッドの組み立て完成状態を示す斜視図である。
【図２４】同本体箱の展開図である。
【図２５】同本体箱の組み立て完成状態を示す斜視図である。
【図２６】同包装完了直前の状態を示す斜視図である。
【図２７】同包装完了状態を示す斜視図である。
【符号の説明】
【００１８】
１      被梱包物
１ａ    脚体
２      底箱
３      脚載せパッド
４      下側緩衝体
５      付属品ケース
６      上側緩衝体
７      天面パッド
８      本体箱
【図１】
2005313942.tif 000003
【図２】
2005313942.tif 000004
【図３】
2005313942.tif 000005
【図４】
2005313942.tif 000006
【図５】
2005313942.tif 000007
【図６】
2005313942.tif 000008
【図７】
2005313942.tif 000009
【図８】
2005313942.tif 000010
【図９】
2005313942.tif 000011
【図１０】
2005313942.tif 000012
【図１１】
2005313942.tif 000013
【図１２】
2005313942.tif 000014
【図１３】
2005313942.tif 000015
【図１４】
2005313942.tif 000016
【図１５】
2005313942.tif 000017
【図１６】
2005313942.tif 000018
【図１７】
2005313942.tif 000019
【図１８】
2005313942.tif 000020
【図１９】
2005313942.tif 000021
【図２０】
2005313942.tif 000022
【図２１】
2005313942.tif 000023
【図２２】
2005313942.tif 000024
【図２３】
2005313942.tif 000025
【図２４】
2005313942.tif 000026
【図２５】
2005313942.tif 000027
【図２６】
2005313942.tif 000028
【図２７】
2005313942.tif 000029